(57)【要約】【課題】包装容器に形成される収納空間を利用して、菓子などの包み紙を一時的に収容する。【解決手段】上面が開口された箱状の容器本体１０と、両端が開口された筒状のカバー２０とから構成され、カバー２０の一端開口を通して容器本体１０が摺動自在に嵌挿された包装容器１において、カバー２０の上面部２３の右端に切欠部２３ａが形成され、容器本体１０の右端部に、正面板１１、底面板１２、背面板１３、右側面板、引き出し片１７および連結片１８からなる収納空間が形成される。また、正面板１１の右端部に、底面板１２との折り目ａと平行に設定長さの折り目ｊが形成されるとともに、該折り目ｊの終端から上端縁にかけて折り目ｊに対して鋭角な切れ目ｋが形成される。このため、切れ目ｋおよび折り目ｊによって区画された台形状の端部を折り目ｊに沿って外方に折り曲げて、収納空間の前端を開口し、菓子などの包み紙を収容することができる。【選択図】  図１
2004231292.tif 000002
【特許請求の範囲】
【請求項１】
左右の側面板、背面板、底面板、正面板からなり、上面が開口された容器本体と、上面部、正面部、背面部および底面部からなり、左右両端が開口されたカバーと、から構成され、カバーの一端開口を通して容器本体が摺動自在に嵌挿された包装容器において、カバーにおける上面部の左右一端に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、また、引き出し片が連設された側の正面板または背面板の少なくとも一方の端部に、底面板との折り目と平行に左右方向の側端縁から設定長さの折り目が形成されるとともに、折り目の終端から該折り目に対して鋭角状の切れ目が上端縁にかけて形成されていることを特徴とする包装容器。
【請求項２】
左右の側面板、背面板、底面板、正面板からなり、上面が開口された容器本体と、上面部、正面部、背面部および底面部からなり、左右両端が開口されたカバーと、から構成され、カバーの一端開口を通して容器本体が摺動自在に嵌挿された包装容器において、カバーにおける上面部の左右一端に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、また、引き出し片が連設された側の正面板または背面板の少なくとも一方の端部に、底面板と側面板との折り目および底面板と正面板または背面板との折り目の交点もしくはその近傍を始点として底面板と正面板または背面板との折り目に対して鋭角状の折り目が上端縁にかけて形成されていることを特徴とする包装容器。
【発明の詳細な説明】
【０００１】
【発明の属する技術分野】
本発明は、菓子などの包装容器に関するものである。
【０００２】
【従来の技術】
従来、上面が開口された箱状の容器本体と、左右両端が開口された筒状のカバーと、から構成され、菓子などが収容された容器本体をカバーの一端開口を通して摺動自在に嵌挿してなる菓子などの包装容器が提案されている。
【０００３】
このような包装容器においては、必要に応じてカバーから容器本体を引き出し、容器本体に収容された菓子などを取り出すようにしている（例えば、特許文献１参照）。
【０００４】
【特許文献１】
特許第２６３３４６３号公報
【０００５】
【発明が解決しようとする課題】
ところで、前述した包装容器において、容器本体に収容された菓子などは、包み紙によって個別に包装されている場合があり、菓子などを食するときには、包み紙を除去する必要がある。一方、菓子などから除去された包み紙は、衣服のポケットに入れられたまま放置されるなど、取り扱いに難があった。また、路上などに廃棄されると、周囲の美観を損なうおそれがある。
【０００６】
本発明は、このような問題点に鑑みてなされたもので、菓子などの包み紙を一時的に収容することのできる包装容器を提供するものである。
【０００７】
【課題を解決するための手段】
本発明は、左右の側面板、背面板、底面板、正面板からなり、上面が開口された容器本体と、上面部、正面部、背面部および底面部からなり、左右両端が開口されたカバーと、から構成され、カバーの一端開口を通して容器本体が摺動自在に嵌挿された包装容器において、カバーにおける上面部の左右一端に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、また、引き出し片が連設された側の正面板または背面板の少なくとも一方の端部に、底面板との折り目と平行に左右方向の側端縁から設定長さの折り目が形成されるとともに、折り目の終端から該折り目に対して鋭角状の切れ目が上端縁にかけて形成されていることを特徴とするものである。
【０００８】
本発明によれば、上面部の切欠部を通して容器本体の引き出し片を押圧することにより、引き出し片および左右一方の側面板が重なるように押しつぶして、引き出し片および左右一方の側面板をカバーの左右一方の端縁から突出させ、突出させた引き出し片および左右一方の側面板を摘んでカバーから容器本体を引き出すことにより、容器本体に収容された菓子などを取り出すことができる。
【０００９】
一方、菓子などを取り出し、その包み紙を除去して菓子などを食するとともに、除去した包み紙は、包装容器に形成された収納空間に収容することができる。
すなわち、引き出し片に対応して正面板または背面板の左右一端部上端縁に指を掛けて外方に引き出せば、正面板または背面板の、切れ目および折り目によって区画された台形状の端部分が折り目に沿って外方に折り曲げられ、背面板、正面板、左右一方の側面板、引き出し片、連結片および底面板によって形成された収納空間の前後一方端が開口されるため、この収納空間に菓子などの包み紙を小さく畳んで収容することができる。
【００１０】
この結果、菓子などの包み紙を、その包装容器に形成された収納空間を利用して収容することができ、路上などに廃棄されることが防止される。
【００１１】
なお、菓子などの取り出しを終了すれば、カバーに対して容器本体を押し込むことにより、容器本体に収容された菓子などの脱落を防止するように、カバーによって容器本体を覆うことができる。
【００１２】
この際、正面板または背面板の、切れ目および折り目によって区画された台形状の端部分が折り目に沿って外方に折れ曲げられた状態で容器本体がカバーに対して押し込まれたとしても、その端部分の切れ目による端縁は、折り目に対して鋭角状であり、かつ、カバーの正面部または背面部の左右一方の端縁と点接触することから、正面板または背面板の、切れ目および折り目によって区画された台形状の端部分は、正面板または背面板と連続する平面を形成するように徐々に起立させられる。このため、容器本体をカバーに円滑に押し込むことができ、カバーの正面部または背面部の左右一方の端縁と干渉して、容器本体の押し込みに支障をきたすことはない。
【００１３】
本発明は、左右の側面板、背面板、底面板、正面板からなり、上面が開口された容器本体と、上面部、正面部、背面部および底面部からなり、左右両端が開口されたカバーと、から構成され、カバーの一端開口を通して容器本体が摺動自在に嵌挿された包装容器において、カバーにおける上面部の左右一端に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、また、引き出し片が連設された側の正面板または背面板の少なくとも一方の端部に、底面板と側面板との折り目および底面板と正面板または背面板との折り目の交点もしくはその近傍を始点として底面板と正面板または背面板との折り目に対して鋭角状の折り目が上端縁にかけて形成されていることを特徴とするものである。
【００１４】
本発明によれば、上面部の切欠部を通して容器本体の引き出し片を押圧することにより、引き出し片および左右一方の側面板が重なるように押しつぶして、引き出し片および左右一方の側面板をカバーの左右一方の端縁から突出させ、突出させた引き出し片および左右一方の側面板を摘んでカバーから容器本体を引き出すことにより、容器本体に収容された菓子などを取り出すことができる。
【００１５】
一方、菓子などを取り出し、その包み紙を除去して菓子などを食するとともに、除去した包み紙は、包装容器に形成された収納空間に収容することができる。
すなわち、引き出し片に対応して正面板または背面板の左右一端部上端縁に指を掛けて外方に引き出せば、正面板または背面板の、折り目によって区画された三角形状の端部分が折り目に沿って外方に折り曲げられ、背面板、正面板、左右一方の側面板、引き出し片、連結片および底面板によって形成された収納空間の前後一方端が開口されるため、この収納空間に菓子などの包み紙を小さく畳んで収容することができる。
【００１６】
この結果、菓子などの包み紙を、その包装容器に形成された収納空間を利用して収容することができ、路上などに廃棄されることが防止される。
【００１７】
なお、菓子などの取り出しを終了すれば、カバーに対して容器本体を押し込むことにより、容器本体に収容された菓子などの脱落を防止するように、カバーによって容器本体を覆うことができる。
【００１８】
この際、容器本体が、正面板または背面板の、折り目によって区画された三角形状の端部分が折り目に沿って外方に折れ曲げられた状態でカバーに対して押し込まれたとしても、その端部分の折り目は、底面板と側面板との折り目および底面板と正面板または背面板との折り目の交点もしくはその近傍を始点として正面板または背面板の上端縁にかけて底面板と正面板または背面板との折り目に対して鋭角状に形成されているため、正面板または背面板の、三角形状の端部分の先端側上端縁がカバーの正面部または背面部の左右一方の端縁と点接触するにすぎず、正面板または背面板の、三角形状の端部分は、正面板または背面板と連続する平面を形成するように徐々に起立させられる。このため、容器本体をカバーに円滑に押し込むことができ、カバーの正面部または背面部の左右一方の端縁と干渉して、容器本体の押し込みに支障をきたすことはない。
【００１９】
【発明の実施の形態】
以下、本発明の実施の形態を図面に基づいて説明する。
【００２０】
図１乃至図３には、本発明の包装容器１の一実施形態が示されている。
【００２１】
この包装容器１は、菓子などを収容する容器本体１０と、該容器本体１０の外周面に沿って摺動自在に嵌挿されたカバー２０と、から構成されている。
【００２２】
容器本体１０は、コートボールを図２に示す展開図にしたがって打ち抜いた後、折り目に沿って折り込むこととともに、所定部分を貼着して組み立てられる。
【００２３】
この容器本体１０は、図２の展開図において、正面板１１の下端縁に底面板１２および背面板１３が折り目ａ，ｂを介して順に連設される一方、底面板１２の左端縁に左側面板１４および糊代１５が折り目ｃ，ｄを介して順に連設されるとともに、底面板１２の右端縁に右側面板１６、引き出し片１７、連結片１８および糊代１５Ａが折り目ｅ，ｆ，ｇ，ｈを介して順に連設され、また、正面板１１の左端縁および背面板１３の左端縁に折り目ｉを介してフラップ１９がそれぞれ連設されて構成されている。
【００２４】
そして、正面板１１の右端部には、右側端縁から底面板１２との折り目ａと平行に一定長さの折り目ｊが形成されるとともに、該折り目ｊの先端から外端縁に向けて折り目ｊとのなす角度が鋭角の切れ目ｋが形成されている。
【００２５】
ここで、折り目ｊの長さは、引き出し片１７の長さ（折り目ｆ，ｇ間の間隔）よりも若干大きく設定され、正面板１１の右側端縁から、切れ目ｋと正面板１１の外端縁との交差点までの長さは、ほぼ引き出し片１７の長さに設定されている。また、連結片１８の長さ（折り目ｇ，ｈ間の間隔）は、右側面板１６の長さ（折り目ｅ，ｆ間の間隔）に設定されている。
【００２６】
次に、このように構成された容器本体１０の組み立て手順について説明する。
【００２７】
まず、図２の展開図にしたがってコートボールを打ち抜くとともに、裏面が上面を向くように反転させた後  各糊代１５，１５Ａの裏面に接着剤を塗布する。
その後、各フラップ１９を正面板１１および背面板１３に対してそれぞれ折り目ｉ，ｉに沿って谷折りするとともに、正面板１１および背面板１３を底面板１２に対してそれぞれ折り目ａ，ｂに沿って谷折りする。次いで、左側面板１４を底面板１２に対して折り目ｃに沿って谷折りするとともに、糊代１５を左側面板１４に対して折り目ｄに沿って谷折りし、一対のフラップ１９，１９に貼着する。
さらに、引き出し片１７を右側面板１６に対して折り目ｆに沿って谷折りし、糊代１５Ａを底面板１２に貼着する。この後、右側面板１６を底面板１２に対して折り目ｅに沿って谷折りするように起立させることにより、上面が開口された容器本体１０が形成される（図１参照）。
【００２８】
この状態で、容器本体１０の、正面板１１、底面板１２、背面板１３、糊代１５および連結片１８によって形成される空間に、その上方開口を通して菓子などを収容することができる。
【００２９】
一方、カバー２０は、図３の展開図において、底面部２１の下端縁に、背面部２２、上面部２３、正面部２４、糊代２５が順に折り目ｐ，ｑ，ｒ，ｓを介して連設されて構成され、上面部２３には、その右端縁に三角形状の切欠部２３ａが形成されるとともに、切欠部２３ａに近接して平行四辺形状の透口２３ｂが形成されている。
【００３０】
ここで、カバー２０の内寸は、カバー２０に対して容器本体１０を円滑に摺動することができるように、容器本体１０の外寸に対応して設定されている。
【００３１】
次に、このように構成されたカバー２０の組み立て手順について説明する。
【００３２】
まず、図３の展開図にしたがってコートボールを打ち抜くとともに、裏面が上面を向くように反転させた後、正面部２４に対して糊代２５を折り目ｓに沿って谷折りし、糊代２５の表面に接着剤を塗布する。次いで、上面部２３に対して背面部２２を折り目ｑに沿って谷折りし、底面部２１の裏面を糊代２５の表面に貼着する。次いで、底面部２１に対して背面部２２を、底面部２１に貼着された糊代２５に対して正面部２４をそれぞれ折り目ｐ，ｓに沿って谷折りするように起立させることにより、左右両端が開口されたカバー２０が形成される（図１参照）。
【００３３】
カバー２０が形成されたならば、カバー２０の一端開口を通して菓子などが収容された容器本体１０を嵌挿して押し込み、容器本体１０の周囲をカバー２０によって包囲した後、詳細には図示しないが、包装容器１をフィルムで包装して出荷される。
【００３４】
一方、店頭にて菓子などを購入した消費者が菓子などを食する場合は、フィルムを剥離した後、図４に示すように、カバー２０の上面部２３に形成された切欠部２３ａを通して容器本体１０の引き出し片１７を押圧し、引き出し片１７および右側面板１６が重なるように押しつぶすことにより、引き出し片１７および右側面板１６をカバー２０の右端縁から突出させ、突出させた引き出し片１７および右側面板１６を摘んでカバー２０から容器本体１０を引き出すことができ、このため、容器本体１０に収容された菓子などを取り出すことができる。
【００３５】
次いで、取り出した菓子などの包み紙を除去し、菓子などを食した後、除去した包み紙を小さく折り畳んだ後、容器本体１０に形成された収納空間に収容すればよい。
【００３６】
すなわち、引き出し片１７に対応して正面板１１の右端部上縁に指を掛けて引き込めば、正面板１１の、切れ目ｋおよび折り目ｊによって区画された台形状の端部分が折り目ｊに沿って外方に折り曲げられ、正面板１１、背面板１３、右側面板１６、引き出し片１７、連結片１８および底面板１２によって形成された収納空間Ｓの前端面の大部分が開口されるため、開口された前端面を通して収納空間Ｓに菓子などの包み紙を小さく畳んで収容することができる（図５（ａ）参照）。
【００３７】
この結果、菓子などの包み紙を、その包装容器１に形成された収納空間Ｓを利用して収容することができ、路上などに廃棄されることが防止される。
【００３８】
なお、菓子などの取り出しを終了すれば、カバー２０に対して容器本体１０を押し込むことにより、容器本体１０に収容された菓子などの脱落を防止するように、カバー２０によって容器本体１０を覆うことができる。
【００３９】
この際、容器本体１０が、正面板１１の、切れ目ｋおよび折り目ｊによって区画された台形状の端部分が折り目ｊに沿って外方に折れ曲げられた状態でカバー２０に向けて押し込められたとしても（図５（ｂ）参照）、正面板１１の、切れ目ｋおよび折り目ｊによって区画された台形状の端部分の切れ目ｋによる端縁は、折り目ｊに対して鋭角状であり、かつ、カバー２０の正面部２４の右側端縁と点接触することから、容器本体１０の押し込みによって、正面板１１の、切れ目ｋおよび折り目ｊによって区画された台形状の端部分は、正面板１１と連続する平面を形成するように徐々に起立させられるため、容器本体１０を円滑に押し込むことができ（図５（ｃ）参照）、カバー２０の正面部２４の右側端縁と干渉して、容器本体１０の押し込みに支障をきたすことはない。
【００４０】
なお、前述した実施形態においては、正面板１１の右端部に切れ目ｋおよび折り目ｊを形成し、台形状の端部分を区画した場合を説明したが、正面板１１とともに、あるいは、正面板１１に代えて、背面板１３の右端部に切れ目ｋおよび折り目ｊを形成して、台形状の端部分を区画してもよい。このように、正面板１１および／または背面板１３に切れ目ｋおよび折り目ｊを形成することにより、正面板１１側あるいは背面板１３側の少なくとも一方から包装容器１に形成された収納空間Ｓを利用して菓子などの包み紙を収容することができる。
【００４１】
ところで、図６乃至図８には、本発明の包装容器１の他の実施形態が示されている。
【００４２】
この実施形態の包装容器１も、菓子などを収容する容器本体１０と、該容器本体１０の外周面に沿って摺動自在に嵌挿されたカバー２０と、から構成されており、この包装容器１の他の実施形態を説明するに際しては、先に説明した包装容器１の部材と同一の部材には同一の符号を付してその詳細な説明を省略し、相違する箇所についてのみ説明する。
【００４３】
この容器本体１０においては、図７の展開図に示すように、正面板１１の右端部に、正面板１１と底面板１２との折り目ａおよび底面板１２と右側面板１６との折り目ｅの交点を始点として、正面板１１と底面板１２との折り目ａに対して鋭角をなす折り目ｍが正面板１１の外端縁にかけて形成されている。同様に、背面板１３の右端部には、背面板１３と底面板１２との折り目ｂおよび底面板１２と右側面板１６との折り目ｅの交点を始点として、背面板１３と底面板１２との折り目ｂに対して鋭角をなす折り目ｍが背面板１３の外端縁にかけて形成されている。これらの正面板１１の右端部に形成された折り目ｍと背面板１３の右端部に形成された折り目ｍは、底面板１２に対して対称となっている。
【００４４】
ここで、折り目ｍの余弦、すなわち、正面板１１（背面板１３）の右側端縁から、折り目ｍと正面板１１（背面板１３）の外端縁との交点までの長さは、引き出し片１７の長さ（折り目ｆ，ｇ間の間隔）よりも若干大きく設定されている。
【００４５】
一方、カバー２０においては、図８の展開図に示すように、上面部２３の右端縁に、半円形状の切欠部２３ａが形成されている。
【００４６】
そして、容器本体１０およびカバー２０を組み立てたならば、容器本体１０の、正面板１１、底面板１２、背面板１３、糊代１５および連結片１８によって形成される空間に、その上方開口を通して菓子などを収容した後、カバー２０の一端開口を通して菓子などが収容された容器本体１０を嵌挿して押し込み、詳細には図示しないが、容器本体１０およびカバー２０からなる包装容器１をフィルムで包装して出荷される。
【００４７】
一方、店頭にて菓子などを購入した消費者が菓子などを食する場合は、フィルムを剥離した後、図９に示すように、カバー２０の上面部２３に形成された切欠部２３ａを通して容器本体１０の引き出し片１７を右側面板１６と重なるように押しつぶすことにより、引き出し片１７および右側面板１６をカバー２０の右端縁から突出させ、突出させた引き出し片１７および右側面板１６を摘んでカバー２０から容器本体１０を引き出すことができ、このため、容器本体１０に収容された菓子などを取り出すことができる。
【００４８】
次いで、取り出した菓子などの包み紙を除去し、菓子などを食した後、除去した包み紙を小さく折り畳んだ後、容器本体１０に形成された収納空間に収容すればよい。
【００４９】
すなわち、引き出し片１７に対応して正面板１１の右端部上縁に指を掛けて引き込めば、正面板１１の、折り目ｍによって区画された三角形状の端部分が折り目ｍに沿って外方に折り曲げられ、正面板１１、背面板１３、右側面板１６、引き出し片１７、連結片１８および底面板１２によって形成された収納空間Ｓの前端面の略半部が開口されるため、開口された前端面を通して収納空間Ｓに菓子などの包み紙を小さく畳んで収容することができる（図１０（ａ）参照）。
【００５０】
この結果、菓子などの包み紙を、その包装容器１に形成された収納空間Ｓを利用して収容することができ、路上などに廃棄されることが防止される。
【００５１】
なお、菓子などの取り出しを終了すれば、カバー２０に対して容器本体１０を押し込むことにより、容器本体１０に収容された菓子などの脱落を防止するように、カバー２０によって容器本体１０を覆うことができる。
【００５２】
この際、容器本体１０が、正面板１１の、折り目ｍによって区画された三角形状の端部分が折り目ｍに沿って外方に折れ曲げられた状態でカバー２０に向けて押し込められたとしても（図１０（ｂ）参照）、正面板１１の、折り目ｍによって区画された三角形状の端部分の先端が、カバー２０の正面部２４の右側端縁と点接触するにすぎず、容器本体１０の押し込みによって、正面板１１の、折り目ｍによって区画された三角形状の端部分は、正面板１１と連続する平面を形成するように徐々に起立させられるため、容器本体１０を円滑に押し込むことができ（図１０（ｃ）参照）、カバー２０の正面部２４の右側端縁と干渉して、容器本体１０の押し込みに支障をきたすことはない。
【００５３】
なお、この実施形態においては、正面板１１の右端部に折り目ｍを形成するとともに、背面板１３の右端部にも折り目ｍを正面板１１の折り目ｍと対称に形成したことにより、正面板１１側からでも、背面板１３側からでも、包装容器１に形成された収納空間Ｓを利用して菓子などの包み紙を収容することができるが、必ずしも、正面板１１および背面板１３の両方に折り目ｍを形成する必要はなく、いずれか一方に形成するのみでもよい。
【００５４】
また、正面板１１の右端部の折り目ｍは、正面板１１と底面板１２との折り目ａおよび底面板１２と右側面板１６との折り目ｅの交点を始点として、また、背面板１３の右端部の折り目ｍは、背面板１３と底面板１２との折り目ｂおよび底面板１２と右側面板１６との折り目ｅの交点を始点としてそれぞれ形成したが、折り目ａと折り目ｅの交点あるいは折り目ｂと折り目ｅの交点に限らずその近傍を始点として形成してもよい。
【００５５】
【発明の効果】
以上のように本発明によれば、包装容器に形成された収納空間を利用して菓子などの包み紙を一時的に収容することができる。
【図面の簡単な説明】
【図１】本発明の包装容器の一実施形態を示す斜視図である。
【図２】図１の包装容器を構成する容器本体の展開図である。
【図３】図１の包装容器を構成するカバーの展開図である。
【図４】図１の包装容器において、カバーに対する容器本体の引き出し工程を一部省略して示す説明図である。
【図５】図１の包装容器において、カバーに対する容器本体の押し込み工程を一部省略して示す説明図である。
【図６】本発明の包装容器の他の実施形態を示す斜視図である。
【図７】図６の包装容器を構成する容器本体の展開図である。
【図８】図６の包装容器を構成するカバーの展開図である。
【図９】図６の包装容器において、カバーに対する容器本体の引き出し工程を一部省略して示す説明図である。
【図１０】図６の包装容器において、カバーに対する容器本体の押し込み工程を一部省略して示す説明図である。
【符号の説明】
１  包装容器
１０  容器
１１  正面板
１２  底面板
１３  背面板
１４  左側面板
１５，１５Ａ  糊代
１６  右側面板
１７  引き出し片
１８  連結片
２０  カバー
２１  底面部
２２  背面部
２３  上面部
２３ａ  切欠部
２４  正面部
２５  糊代
ａ，ｂ，ｃ，ｄ，ｅ，ｆ，ｇ，ｈ，ｉ，ｊ，ｍ  容器の折り目
ｋ  切れ目
ｐ，ｑ，ｒ，ｓ  カバーの折り目
【図１】
2004231292.tif 000003
【図２】
2004231292.tif 000004
【図３】
2004231292.tif 000005
【図４】
2004231292.tif 000006
【図５】
2004231292.tif 000007
【図６】
2004231292.tif 000008
【図７】
2004231292.tif 000009
【図８】
2004231292.tif 000010
【図９】
2004231292.tif 000011
【図１０】
2004231292.tif 000012